【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
物質の制御核融合反応のためのシステムであって、
ａ．内表面及び外表面を備える第１のハウジングであり、前記内表面が空洞を規定した、第１のハウジングと、
ｂ．前記空洞内に配置された内側ハウジングであり、前記内側ハウジングが内表面を有し、前記内表面が回転空洞を規定した、内側ハウジングと、
ｃ．前記回転空洞内に配置された弱イオン化プラズマを形成する第１の物質と、
ｄ．前記回転空洞と関連付けられた第２の物質と、
ｅ．回転プラズマによって加熱される電子放出体と組み合わされるイオン化装置であり、前記イオン化装置が前記第１の物質と動作可能に関連付けられることによって、前記第１の物質の成分をイオン化することによりプラズマを生成可能なイオン化装置と、
ｆ．非機械的回転チャンバであり、前記非機械的回転チャンバ内において、イオンにのみ作用するローレンツ力を用いてイオン−ニュートラル衝突によってニュートラルの回転を誘導する回転誘導アセンブリが、前記イオン化装置、前記第１のハウジング、及び前記回転チャンバと動作可能に関連付けられることにより、前記回転誘導アセンブリが、前記回転チャンバにおいて主にニュートラルからなる前記プラズマを高速で回転可能である、非機械的回転チャンバと、
を具備し、
前記プラズマの高速回転中に高密度粒子の前記第１の物質及び前記第２の物質の前記核融合反応を提供するように前記イオン−ニュートラル回転チャンバが構成される、システム。
【請求項２】
前記核融合反応が、非中性子性である、請求項１に記載のシステム。
【請求項３】
前記核融合反応が、中性子性である、請求項１に記載のシステム。
【請求項４】
前記第１の物質が、水素、重水素、三重水素、ヘリウム、アルゴン、ネオン、キセノン、窒素、酸素及び気化した固体から成る群から選択される物質を含む、請求項１〜３のいずれか一項に記載のシステム。
【請求項５】
前記第２の物質が、ホウ素、ホウ素−１１、リチウム、リチウム−６、水素−１、窒化ホウ素及び六ホウ化ランタンから成る群から選択される物質を含む、請求項１〜４のいずれか一項に記載のシステム。
【請求項６】
前記第１の物質が、良好な電子放出体を含む、請求項１〜５のいずれか一項に記載のシステム。
【請求項７】
前記回転誘導アセンブリが、磁石を備えた、請求項１〜６のいずれか一項に記載のシステム。
【請求項８】
前記磁石が、超伝導磁石を含む、請求項７に記載のシステム。
【請求項９】
前記回転誘導アセンブリが、超伝導磁石、永久磁石、電磁石、高周波源、マイクロ波源、レーザ、及びイオン銃から成る群から選択される機器を備えた、請求項１〜８のいずれか一項に記載のシステム。
【請求項１０】
前記第１の物質及び前記第２の物質が、窒化ホウ素、六ホウ化ランタン、水素、重水素、三重水素、ヘリウム、アルゴン、ネオン、キセノン、窒素、酸素、気化した固体、水素−１、ホウ素−１１、リチウム−６、リチウム−７、ヘリウム−３、リチウム−６、及び窒素−１５から成る群から選択される物質を含み、
前記核融合反応のための第３の物質と、前記第３の物質との反応のための第４の物質とを備え、前記第４の物質が、炭素、窒素、酸素、クロム、及びネオンから成る群から選択される物質を含む、請求項１〜９のいずれか一項に記載のシステム。
【請求項１１】
核融合反応を誘導及び制御する機器であって、
回転器に対して動作可能に結合された非機械的な回転チャンバであり、イオンビームもベータトロンフラックスも使用せずに少数荷電粒子を使用して、磁界の存在下での電流及び結果として生じるローレンツ力による回転中に主としてニュートラル粒子を駆動する、回転チャンバと、
前記非機械的回転チャンバと関連付けられ、第１の作業物質を前記回転チャンバに導入するように構成された第１の反応物取り扱い機構であり、前記第１の作業物質が第１の核融合反応物を含む、第１の反応物取り扱い機構と、
前記回転チャンバと関連付けられ、第２の作業物質を前記回転チャンバ内で位置決めするように構成された第２の反応物取り扱い機構であり、前記第２の作業物質が第２の核融合反応物を含む、第２の反応物取り扱い機構と、
前記回転チャンバに対して動作可能に結合され、少なくとも前記第１の作業物質のイオン化を誘導して弱イオン化プラズマを生成するように構成されたプラズマ生成器と、
を備え、
イオンとニュートラルとの間の衝突によって前記チャンバ内において前記回転が生じ、
前記非機械的回転器が、前記第１の核融合反応物と前記第２の核融合反応物との間で核融合反応が生じるように、前記回転チャンバ内において少なくとも前記第１の作業物質を含む前記弱イオン化プラズマの急速回転を誘導するように構成された、機器。
【請求項１２】
前記回転器が、
前記回転チャンバを通って延びる磁界を生成するように構成された磁界発生器と、
前記磁界と実質的に垂直な方向に前記回転チャンバを通って延びる電界に沿って少なくとも最初は移動するとともに、前記磁界によるローレンツ力を受けるように前記弱イオン化プラズマ中のイオンが誘導されるように、前記電界を生成するように構成された電界発生器と、
を備えた、請求項１１に記載の機器。
【請求項１３】
前記磁界発生器が、少なくとも１つの電磁石又は少なくとも１つの永久磁石を備えた、請求項１２に記載の機器。
【請求項１４】
前記磁界発生器が、およそ１００，０００回転毎秒より大きな前記弱イオン化プラズマの平均回転速度を誘導するのに十分な強度の磁界を前記回転チャンバ中に生成するように構成された、請求項１２又は１３に記載の機器。
【請求項１５】
主成分としての主なニュートラルを有する前記固有の回転チャンバが、略円筒状であり、前記回転チャンバの対称軸が前記磁界と実質的に平行となるように配向するように構成された、請求項１２〜１４のいずれか一項に記載の機器。
【請求項１６】
前記電界発生器が、
前記回転チャンバの対称軸に実質的に沿って位置決めされた中心電極と、
実質的に円筒形状を有し、前記中心電極と同軸に位置決めされた外側電極と、
前記中心電極と前記外側電極との間に電圧を供給して、前記回転チャンバ内で実質的に半径方向に延びる電界を生成するように構成された電源と、
を備えた、請求項１２〜１５のいずれか一項に記載の機器。
【請求項１７】
前記回転チャンバが、定在電磁波を支持するようにさらに構成され、
前記回転器が、
前記回転チャンバ内に回転定在波が発生するように、電磁波を前記回転チャンバに印加するように構成された高周波供給装置を備え、
前記回転定在波が、前記回転チャンバ中の前記弱イオン化プラズマを回転させるように構成された、請求項１２〜１６のいずれか一項に記載の機器。
【請求項１８】
前記回転器が、前記高周波供給装置に印加される前記電磁波に変調を適用して、前記弱イオン化プラズマの回転を促進するように構成された変調器をさらに具備した、請求項１７に記載の機器。
【請求項１９】
前記変調器が、調節可能な変調周波数を適用するように構成された、請求項１８に記載の機器。
【請求項２０】
前記回転器が、前記回転チャンバに対して動作可能に結合された光子源を備え、前記光子源が、少なくとも前記第１の作業物質への照射によって、前記第１の作業物質を前記回転チャンバ内で回転させるのに十分な光子圧力を生成するように構成された、請求項１１に記載の機器。
【請求項２１】
前記光子源が、レーザを備えた、請求項２０に記載の機器。
【請求項２２】
前記プラズマ生成器が、
前記第１の作業物質と動作可能に関連付けられた第１の電極と、
前記第１の作業物質と動作可能に関連付けられた第２の電極と、
前記第１の作業物質の一部をイオン化させるのに十分な電圧を前記第１の電極と前記第２の電極との間に印加するように構成された電源と、
を備えた、請求項１１に記載の機器。
【請求項２３】
前記プラズマ生成器が、
磁界を前記回転チャンバ内に印加するように構成された磁界発生器と、
前記第１の作業物質と動作可能に関連付けられ、電磁信号を前記回転チャンバに導入するように構成された高周波供給装置と、
を備え、
前記電磁信号の周波数が、前記電磁界から前記第１の作業物質への共鳴エネルギー移動によって前記第１の作業物質の少なくとも一部がイオン化されるように、前記磁界の存在下での前記第１の作業物質のシンクロトロン周波数に対応するように選択される、請求項１１に記載の機器。
【請求項２４】
前記第１の核融合反応物が、水素−１、重水素、三重水素、ヘリウム−３、リチウム−６、リチウム−７、ホウ素−１１、及び窒素−１５から成る群から選択され、
前記第２の核融合反応物が、水素−１、重水素、三重水素、ヘリウム−３、リチウム−６、リチウム−７、ホウ素−１１、及び窒素−１５から成る群から選択される、請求項１１〜２３のいずれか一項に記載の機器。
【請求項２５】
前記回転チャンバ及び前記回転器が、イオンのニュートラルに対する比率が１〜およそ１００００超である弱イオン化プラズマと関連して動作するように構成された、請求項１１〜２４のいずれか一項に記載の機器。
【請求項２６】
前記回転器が、核融合が生じる領域において前記第１の作業物質及び前記第２の作業物質の粒子密度が合わせて１０２３個毎立方センチメートル超に達するように、回転速度を誘導するように構成された、請求項１１〜２５のいずれか一項に記載の機器。
【請求項２７】
前記回転チャンバに対して動作可能に結合されたエネルギー利用アセンブリをさらに備え、前記エネルギー利用アセンブリが、核融合により生成されたエネルギーを前記回転チャンバに隣接する領域から取り出すように構成された、請求項１１〜２６のいずれか一項に記載の機器。
【請求項２８】
回転チャンバにおいて、第１の作業物質中の第１の反応物と第２の作業物質中の第２の反応物との間で制御核融合を実現する方法であって、
前記第１の作業物質を軽くイオン化して、複数のイオンを生成するステップと、
イオン−ニュートラル結合によって、前記回転チャンバ内で前記第１の作業物質の急速回転を誘導するステップと、
前記第１の反応物及び前記第２の反応物の核融合を誘導するのに前記第１の作業物質の速度が十分に高い前記回転チャンバの領域に前記第１の反応物及び前記第２の反応物の両方を取り込むステップと、
を含む、制御核融合を実現する方法。
【請求項２９】
前記第１の作業物質の急速回転を誘導する前記ステップが、
軸の周りに生じることを意図された前記急速回転の前記軸に沿って、前記回転チャンバを通って延びる磁界を規定するステップと、
前記軸の周りに生じることを意図された前記急速回転の前記軸から半径方向外方に延びる電界を規定するステップであって、前記第１の作業物質の回転が実現されるように、前記複数のイオンが、前記電界により加速されるとともに、前記磁界によるローレンツ力を受けるステップと、
をさらに含む、請求項２８に記載の制御核融合を実現する方法。
【請求項３０】
前記第１の作業物質の急速回転を誘導する前記ステップが、前記磁界と実質的に垂直な方向に、前記軽くイオン化された第１の作業物質を通して電流パルスを印加するステップをさらに含む、請求項２９に記載の制御核融合を実現する方法。
【請求項３１】
空間電荷効果の作用によって前記核融合反応の断面が大きくなるように、高効率の電子放出体である前記第１の作業物質及び前記第２の作業物質の少なくとも一方を用意するステップをさらに含む、請求項２８〜３０のいずれか一項に記載の制御核融合を実現する方法。
【請求項３２】
水素−１、重水素、三重水素、ヘリウム−３、リチウム−６、リチウム−７、ホウ素−１１、及び窒素−１５から成る群から選択される第１の反応物を含む第１の作業物質を用意するステップをさらに含み、
水素−１、重水素、三重水素、ヘリウム−３、リチウム−６、リチウム−７、ホウ素−１１、及び窒素−１５から成る群から選択される第２の反応物を含む第２の作業物質を用意するステップをさらに含む、請求項２８〜３１のいずれか一項に記載の制御核融合を実現する方法。
【請求項３３】
物質の制御核融合反応のためのシステムであって、
ａ．内表面及び外表面を備える第１のハウジングであり、前記内表面が空洞を規定した、第１のハウジングと、
ｂ．前記空洞内に配置された内側ハウジングであり、前記内側ハウジングが内表面を備え、前記内表面が回転空洞を規定した、内側ハウジングと、
ｃ．前記回転空洞内に配置された弱イオン化プラズマを形成する第１の物質と、
ｄ．前記回転空洞と関連付けられた第２の物質と、
ｅ．イオン化装置であり、前記イオン化装置が前記第１の物質と動作可能に関連付けられることによって、前記第１の物質の成分をイオン化することによりプラズマを生成可能なイオン化装置と、
ｆ．回転誘導アセンブリであり、前記回転誘導アセンブリが、前記イオン化装置、前記第１のハウジング、及び回転チャンバと動作可能に関連付けられることにより、前記回転チャンバにおいて前記プラズマを高速で回転可能であるとともに、前記第２の物質を解離可能な回転誘導アセンブリと、
ｇ．前記プラズマの高速回転中に前記第１の物質及び前記第２の物質の前記核融合反応を提供するように構成された前記回転チャンバと、
を具備した、システム。